(57)【要約】  周囲温度が高いときも、周囲温度が低いときも快適に寝ることができる空調マットを提供する。本発明の空調マットは、ほぼ扁平状に形成された本体部１０２と、ほぼ筒状に形成された空気流通筒部３とを備える。本体部１０２は、空気が流通するための空気流通路１５を確保するためのスペーサ１０と、スペーサ１０内に配されたヒーター線１１１と、スペーサ１０を覆う空気が漏れ難く透湿性を有する上カバー部６ａと空気が漏れ難い下カバー部６ｂにより構成されたカバー部６と、カバー部６の人の頭部が位置する側の端部に形成された外気を流入又は流出させるための空気流通口部６ｃとを備えている。また、本体部１０２の長手方向に平行な両端近くの部位には固綿等を用いた非空調部１６０が設けられている。空気流通筒部は、カバー部の人の足が位置する側の端部に取り付けられ、その両端部には空気流通路に空気を流通させるためのファン３が設けられている。
2010095165.tif 000002
【特許請求の範囲】
【請求項１】
空気が流通する少なくとも５ｍｍの高さの空気流通路を確保するためのスペーサと、前記スペーサの上側を覆う空気が漏れ難く透湿性を有する上カバー部と前記スペーサの下側を覆う空気が漏れ難い下カバー部とを含んでなるカバー部と、前記スペーサと前記下カバー部との間に配置されるヒーター線を配した加熱シートと、を備えるほぼ扁平状の本体部と、
前記カバー部の一方の端部に設けられた空気を前記空気流通路に流通させるためのファンと、
前記カバー部の前記一方の端部に対向する他方の端部に設けられた空気流通口部と、
前記ファンの回転数を制御するためのファン制御部と、
前記ヒーター線に供給する電力を制御するためのヒーター制御部と、
を具備し、
周囲温度が高いときは前記ファンを回転させることにより前記空気流通路に外気を流通させ、前記空調マットに接する身体からでた汗が前記上カバー部を透して前記空気流通口部または前記ファンから排出され、周囲温度が低いときは前記加熱シートに設けられた前記ヒーター線に電流を流すことにより前記空気流通路内の空気を加熱することを特徴とする空調マット。
【請求項２】
前記スペーサは、枠状部と、一端が前記枠状部から起立するように形成された柱、壁又は柱と壁からなる起立部と、前記起立部の他端を連結する起立連結部とを有する凸部と、
隣り合う前記凸部を連結する可撓性のある可撓連結部と、を備え、
前記凸部は１平方メートルあたり少なくとも１００個形成され、
前記凸部及び前記可撓連結部はプラスチックで一体的に形成されたことを特徴とする請求項１記載の空調マット。
【請求項３】
枠状部と、一端が前記枠状部から起立するように形成された柱、壁又は柱と壁からなる起立部と、前記起立部の他端を連結する起立連結部とを有する凸部と、
隣り合う前記凸部を連結する可撓性のある可撓連結部と、を備え、
前記凸部は１平方メートルあたり少なくとも１００個形成され、
前記凸部及び前記可撓連結部はプラスチックで一体的に形成された、空気が流通する空気流通路を確保するためのスペーサと、
前記スペーサの上側を覆う、空気が漏れ難く透湿性を有する上カバー部と、前記スペーサの下側を覆う空気が漏れ難い下カバー部を含んでなるカバー部と、
前記スペーサの中に配されたヒーター線と、
を備えるほぼ扁平状の本体部と、
前記カバー部の一方の端部に設けられた空気を前記空気流通路に流通させるためのファンと、
前記カバー部の前記一方の端部に対向する他方の端部に設けられた空気流通口部と、
前記ファンの回転数を制御するためのファン制御部と、
前記ヒーター線に供給する電力を制御するためのヒーター制御部と、
を具備し、
周囲温度が高いときは前記ファンを回転させることにより前記空気流通路に外気を流通させ、前記空調マットに接する身体からでた汗が前記上カバー部を透して前記空気流通口部または前記ファンから排出され、周囲温度が低いときは前記ヒーター線に電流を流すことによりで前記空気流通路内の空気を加熱することを特徴とする空調マット。
【請求項４】
前記カバー部の前記一方の端部には前記空気流通路に空気を流通させるための筒状に形成された空気流通筒部が接続され、前記ファンは前記空気流通筒部の少なくとも片方の端部に取り付けられていることを特徴とする請求項１、２又は３記載の空調マット。
【請求項５】
前記空気流通筒部の前記ファンが取り付けられている端部以外の部分は、前記本体部の高さとほぼ同じ高さに形成されていることを特徴とする請求項４記載の空調マット。
【請求項６】
前記カバー部の前記一方の端部と直交するように位置する両端部近くの部位には固綿などの一般寝具材を用いた非空調部が形成されていることを特徴とする請求項１乃至５の何れか１項記載の空調マット。
【請求項７】
前記ファンは前記空気流通路内の空気を外部に排出する方向に回転することを特徴とする請求項１乃至６何れか１項記載の空調マット。
【発明の詳細な説明】
【技術分野】
【０００１】
本発明は、例えば、就寝時に下に敷いて使用する空調マットに関する。
【背景技術】
【０００２】
従来の電気敷き寝具はヒーター線が布の中に配置されている。使用者は、通常、その電気敷き寝具の上にシーツを敷いて寝ている。【０００３】
【特許文献１】国際公開第２００７／０９４１３０号公報
【特許文献２】国際公開第２００７／１２２８１６号公報
【発明の開示】
【発明が解決しようとする課題】
【０００４】
しかしながら、上記の従来の電気敷き寝具は、ヒーター線の間隔が大きいためその上にシーツを敷いて寝ると、ヒーター線に接する身体部は加熱され、ヒーター線から離れたところは加熱されず、加熱の分布にむらがあった。また、従来の電気敷き寝具は身体がヒーター線を押し付けるようになり、しかもヒーター線には家庭用の高い交流電圧がそのまま印加されるので安全上の問題もあった。また、周囲温度が高いときは敷き寝具と接する身体部は体から出た汗により湿度が高くなり、汗の気化熱による体温の放散が出来なくなり蒸れて寝苦しいという問題があった。さらに、従来の電気敷き寝具は冬場のみ使用するものであり、夏場には無用のものとなっていた。【０００５】
本発明は上記事情に基づいてなされたものであり、上記した従来の電気敷き寝具の欠点を排除し、年間を通して使用することが出来る空調マットを提供することを目的とするものである。
【課題を解決するための手段】
【０００６】
本発明は、上記課題を解決するためになされたものであり、空気が流通する少なくとも５ｍｍの高さの空気流通路を確保するためのスペーサと、前記スペーサの上側を覆う空気が漏れ難く透湿性を有する上カバー部と前記スペーサの下側を覆う空気が漏れ難い下カバー部とを含んでなるカバー部と、前記スペーサと前記下カバー部との間に配置されるヒーター線を配した加熱シートと、を備えるほぼ扁平状の本体部と、前記カバー部の一方の端部に設けられた空気を前記空気流通路に流通させるためのファンと、前記カバー部の前記一方の端部に対向する他方の端部に設けられた空気流通口部と、前記ファンの回転数を制御するためのファン制御部と、前記ヒーター線に供給する電力を制御するためのヒーター制御部と、を具備し、周囲温度が高いときは前記ファンを回転させることにより前記空気流通路に外気を流通させ、前記空調マットに接する身体からでた汗が前記上カバー部を透して前記空気流通口部または前記ファンから排出され、周囲温度が低いときは前記加熱シートに設けられた前記ヒーター線に電流を流すことにより前記空気流通路内の空気を加熱するものである。【０００７】
また、本発明は、上記課題を解決するためになされたものであり、枠状部と、一端が前記枠状部から起立するように形成された柱、壁又は柱と壁からなる起立部と、前記起立部の他端を連結する起立連結部とを有する凸部と、隣り合う前記凸部を連結する可撓性のある可撓連結部と、を備え、前記凸部は１平方メートルあたり少なくとも１００個形成され、前記凸部及び前記可撓連結部はプラスチックで一体的に形成された、空気が流通する空気流通路を確保するためのスペーサと、前記スペーサの上側を覆う、空気が漏れ難く透湿性を有する上カバー部と、前記スペーサの下側を覆う空気が漏れ難い下カバー部を含んでなるカバー部と、前記スペーサの中に配されたヒーター線と、を備えるほぼ扁平状の本体部と、前記カバー部の一方の端部に設けられた空気を前記空気流通路に流通させるためのファンと、前記カバー部の前記一方の端部に対向する他方の端部に設けられた空気流通口部と、前記ファンの回転数を制御するためのファン制御部と、前記ヒーター線に供給する電力を制御するためのヒーター制御部と、を具備し、周囲温度が高いときは前記ファンを回転させることにより前記空気流通路に外気を流通させ、前記空調マットに接する身体からでた汗が前記上カバー部を透して前記空気流通口部または前記ファンから排出され、周囲温度が低いときは前記ヒーター線に電流を流すことによりで前記空気流通路内の空気を加熱するものである。
【発明の効果】
【０００８】
本発明の空調マットによれば、周囲温度が高いときはスペーサで確保される空間に外気を流通させることにより空調マットと接する身体から出た汗を蒸発させ、その際の気化熱により体が冷却されるため、蒸れることがなく快適に寝ることができる。周囲温度が低いときは、ヒーター線と身体の間に空間を設けることにより、間接的に、また空調マットに接している身体の部位全体をほぼ均一に暖めることができる。【０００９】
また、従来の電気敷き寝具はヒーター線の間隔が５ｃｍぐらいと広いため、身体はヒーター線のあるところのみ局所的に加熱される。このため、局所的に加熱された部位の血行が良くなり過ぎてこれが引き金となり、例えば、身体がかゆくなったり、のどの渇きを感じるようになったり、身体がだるくなったり、風邪をひきやすくなる。これに対して本発明による空調マットではヒーター線によりスペーサで構成された空間の空気を暖めることにより、空調マット全体がほぼ均一に暖められるので、局所的な加熱による問題を排除することができる。さらに、空間を介して身体を加熱するため、ヒーター線の間隔は従来の直接的な加熱方法に比べ広げることができ、その分、ヒーター線の全長を短くできる。
【図面の簡単な説明】
【００１０】
【図１】図１（ａ）は本発明の空調マットに使用するスペーサ一の概略部分正面図、同図（ｂ）はそのスペーサの概略部分側面図である。
【図２】図２（ａ）はスペーサの一つの凸部の概略斜視図、同図（ｂ）は図１に示すスペーサの概略部分斜視図である。
【図３】図３は本発明の第１実施形態である空調マットの概略斜視図である。
【図４】図４（ａ）は第１実施形態である空調マットの概略正面図、同図(ｂ)はその概略側面図である。
【図５】図５は第１実施形態の空調マットのＡ−Ａ矢視概略部分断面図である。
【図６】図６は本体部と空気流通筒部との接合状態を示した概略部分断面図である。
【図７】図７（ａ）は本発明の第２実施形態である空調マットの概略正面図、同図（ｂ）はその空調マットのＢ−Ｂ矢視拡大断面図である。
【符号の説明】
【００１１】
１，１００  空調マット  
２，１０２  本体部
３  空気流通筒部
３ａ  開口部
４  ファン
５  コントローラ部
６  カバー部
６ａ  上カバー部
６ｂ  下カバー部
６ｃ  空気流通口部
７  中シート
８  加熱シート
１０  スペーサ
１１，１１１  ヒーター線
１５  空気流通路
２０  凸部
２１  枠状部
２２  起立部
２３  起立連結部
２６  可撓連結部
１６０  非空調部
【発明を実施するための最良の形態】
【００１２】
以下に、図面を参照して、本願に係る発明を実施するための最良の形態について説明する。
先ず、以下に説明する本発明の空調マットに使用されるスペーサについて説明する。
図１（ａ）は本発明の空調マットに使用するスペーサ一の概略部分正面図、同図（ｂ）はそのスペーサの概略部分側面図、図２（ａ）はスペーサの一つの凸部の概略斜視図、同図（ｂ）は図１に示すスペーサの概略部分斜視図である。
スペーサ１０は、多数の凸部２０と隣り合う凸部２０の枠状部２１を連結する可撓連結部２６とを備えている。凸部２０は、身体に当接する側に形成された多数の枠状部２１と、一端が枠状部２１に連なり枠状部２１から起立するように形成された４つの柱からなる起立部２２と、起立部２２の他端を連結する起立連結部２３とを有する。本スペーサ１０は、枠状部２１が形成されている側が身体に当接する側となり、起立連結部２３が形成されている側が敷き寝具側になる。枠状部２１は、正面形状が略正方形の枠状に形成されている。その枠状部２１の４つの角から起立するように形成された４つの柱が起立部２２である。この柱は、枠状部２１の内側に傾斜するように、且つ先端部に近づくにつれて幅が狭くなるようにテーパー状に形成されている。また、枠状部２１の各辺の中央には可撓連結部２６が形成されている。多数の凸部２０と可撓連結部２６とは、樹脂、例えば軟質ポリエチレンで一体的に形成されている。【００１３】
可撓連結部２６は、隣り合う凸２０の枠状部２１と枠状部２１とを連結するためのものであり、帯状部材によって形成されている。このように、可撓連結部２６を帯状に形成することにより、可撓連結部２６に可撓性を持たせることができる。スペーサは、例えば椅子や寝具等の上に敷く空調マットに用いる場合、空気流通路を確保するために、人体の重みが加わっても凸部２０が潰れることがないように形成する必要がある。本実施形態のスペーサ１０では、凸部２０には人体の重みが加わっても潰れないような強度を持たせ、他方、可撓連結部２６は容易に変形するように、帯状部材を用いている。かかる可撓連結部２６で連結された本スペーサの凸２０は、１つ１つがほぼ独立して動くことができ、従ってスペーサ１０全体として、柔軟性に富むものとなる。【００１４】
例えば、本スペーサを非常に柔らかいソファ等の上に敷いて用いる空調マットなどに使用する場合、本スペーサの可撓連結部２６は凸部の変形をともなうことなく、枠状部の側に約１８０度、曲がるように形成することが望ましい。これにより、身体の形状に沿ってスペーサが自在に変形し、必要な空間を容易に確保することができる。【００１５】
また本スペーサの凸部の枠状部は約縦１０ｍｍｘ横１０ｍｍｘ厚さ０．６ｍｍ、凸部の高さは約１０ｍｍで、隣り合う凸部の間隔は約１６．５ｍｍである。また可撓連結部は約長さ５ｍｍｘ幅３ｍｍｘ厚さ０．６ｍｍである。本スペーサはこれに限定されるものでなく、例えば本スペーサの凸部は、１平方メートル当たり少なくとも１００個形成されていれば、どのような大きさであっても良い。凸部の数がこれより少ないと、凸部の大きさが大きくなって、柔軟性がなくなるか、或いは凸部の大きさを小さくすると可撓連結部の長さが長くなりすぎて空気が流通する空間を確保することが難しくなるからである。【００１６】
また、枠状部は４角形に限らず円形でも多角形でもよく、また起立部は柱に限られるものではなく枠状部と起立連結部とのあいだに５ｍｍ〜５０ｍｍの間隔を保つことができれば対向する２つの壁でもよいし、或いは柱と壁を組み合わせたものであっても良い。高さが５ｍｍより低いと空気抵抗が大きくなり実用的でなく、５０ｍｍより高くしても、高くなるだけであり、スペーサによる効果は変わらないからである。さらに起立連結部は、平面に限らず例えば半円形状に盛り上がっていても良いし、起立部が４本の柱からなる場合は、柱と柱をクロスして連結するＸ字状に形成しても良い。なお、上述した本実施形態のスペーサは、本出願人により、国際出願され、既に国際公開（国際公開第２００７／０９４１３０号公報）されている。【００１７】
（第１実施形態）  次に、上記スペーサを用いた本発明の第１実施形態である空調マットについて説明する。第１実施形態である空調マットは人が就寝するときに使用する電気敷き寝具である。図３は本発明の第１実施形態の空調マットの概略斜視図、図４（ａ）は第１実施形態である空調マットの概略正面図、同図(ｂ)はその概略側面図、図５は第１実施形態の空調マットのＡ−Ａ矢視概略部分断面図、図６は本体部と空気流通筒部との接合状態を示した概略部分断面図である。【００１８】
本実施形態の空調マット１は、全体形状がほぼ扁平状に形成されており、正面形状が略長方形状に形成された本体部２と、ほぼ筒状に形成されたプラスチック製の空気流通筒部３と、ファン４と、コントローラ部５とを備えている。本体部２は、スペーサ１０と、スペーサ１０を覆うカバー部６と、スペーサ１０の上側に配置された透湿性のある薄いウレタンシート等による中シート７と、スペーサ１０の下側に配置された、ヒーター線１１が配された加熱シート８とを有する。カバー部６は、スペーサ１０の上側を覆う、空気が漏れ難く透湿性のある上カバー部６ａと、スペーサ１０の下側を覆う、空気が漏れ難い下カバー部６ｂとを有する。空気流通筒部３は、本体部２の長手方向に直交する一方の端部（人が就寝したときに足が位置する側の端部、以下単に足側端部とも称する。）に設けられている。また、ほぼ筒状に形成された空気流通筒部３の両端部には空気流通筒部３内の空気を排出するように回転するファン４，４が設けられている。空気流通筒部３の両端部を除いた部分は、本体部２とほぼ同じ高さ（厚さ）になるように、この部分の断面は高さが低く幅が広い略長方形に形成されている。これにより空気流通筒部３はふとんの上に載せても高さが低いため就寝者がつまずいたりすることを防止することができる。また、空気流通筒部３は、円形状のファンの空気送出口と扁平状の空気流通路とをスムーズにつなぐための緩衝部としての機能を果たすものである。【００１９】
また、本体部２の長手方向に直交する他方の端部（人が就寝したときに頭が位置する側の端部）の近傍には、上カバー部６ａと下カバー６ｂに空気流通口部６ｃ，６ｃである開口部が形成されている。この空気流通口部６ｃ，６ｃには空気の流通性のよい布、例えばメッシュが配されている。なお、この空気流通口部は、上カバー部６ａだけに形成するようにしてもよい。また、この他方の端部の上カバー部６ａと下カバー部６ｂの縁は縫合されている。カバー部６の長手方向に平行な両側端部も上カバー部６ａと下カバー部６ｂの縁が縫合されているので、カバー部６のこの両側端部から空気が漏れることはない。コントローラ部５は、本発明のファン制御部とヒーター制御部に対応するものであり、ファンの回転数を制御すると共に、ヒーター線に流す電流を制御する。【００２０】
図４及び図５に示すように、空調マット１の本体部２の断面の構造は、身体に接する側から順番に上カバー部６ａ、中シート７、スペーサ１０、加熱シート８、下カバー部６ｂの様に構成されている。また加熱シート８のヒーター線１１は図４（ａ）の点線で示すように配され、ヒーター制御部を含むコントローラ部５に接続される。コントローラ部５には商用電源が供給される。また、ファン４は接続線(図示せず)によりファン制御部を含むコントローラ部５に接続されている。また、図４及び図６に示すように空気流通筒部３にはカバー部６の足側端部を挿入するための開口部３ａが設けられている。すなわち、空気流通筒部３の開口部３ａには、上カバー部６ａと下カバー部６ｂと両カバー部６ａ，６ｂで覆われたスペーサ１０が挿入され、図６に示すように、上カバー部６ａは空気流通筒部３内で空気流通筒部３の内壁に沿って折り曲げられ、空気流通筒部３の内壁に接着剤で接着される。同様にして下カバー部６ｂも折り曲げられて空気流通筒部３の内壁に接着剤で接着される。これにより、本実施形態の空調マットは、空気流通筒部３と空気流通路１５との間に空気が流通できる構成となる。【００２１】
本実施形態の空調マット１は、上記のように構成されているので、室温が高いときにはコントローラ部５を操作して空気流通筒部３内の空気を排出する方向にファン４を回転させる。これにより、スペーサ１０で形成された空気流通路１５内が陰圧になり、空気流通口部６ｃから外気が取り込まれ、空気流通路１５に外気が流入して空気流通筒部３を経由してファン４により外部に放出される。すなわち、本空調マット１を使用している就寝者は、空気流通路に流れる空気により、冷却され、また就寝者の汗腺から出た汗は透湿性を有する上カバー６ａ部と中シート7を透過し、空気流通路を流れる空気により外部に放出される、就寝者はその際の気化熱で冷却されるので、快適な睡眠をとることができる。また、空気流通路１５内を陰圧とすることにより、内部を陽圧にしたときのようにファンによってカバー部が膨らむことがなく、使い心地の向上を図ることができる。【００２２】
中シート７は主にスペーサにより生じる若干の肌触りの低下を防止するために設けている。また、中シートを厚くすると空気流通路を流れる空気による冷却効果を抑えることができ、外気温が下がった場合に冷え過ぎを防止することができる。但し、中シートは省略可能である。例えば、中シートは外気温センサーなどの他の冷え過ぎ防止手段があれば省略してもよい。【００２３】
次に、室温が低いときにはコントローラ部５を操作して加熱シート８のヒーター線１１に電圧を加える。この時は無論ファン４は回転させない。ヒーター線１１により空気流通路に滞留した空気を暖め、結果的に中シート、上カバー部が暖かくなる。従来の様な電気敷き寝具と異なりヒーター線で部分的且つ直接的に身体を加熱するのではなく、空調マットの上カバーがほぼ均一に暖かくなるので、部分的な直接加熱による様々な問題がなくなり、またヒーター線によるでこぼこ感もなくなり快適に就寝することができる。【００２４】
（第２実施形態）図７（ａ）は本発明の第２実施形態である空調マットの概略正面図、同図（ｂ）はその空調マットのＢ−Ｂ矢視拡大断面図である。第２実施形態の空調マット１００が第１実施形態のものと異なるのは、空調マット１００の長手方向に平行な両端近くの部位に固綿などの一般の敷き寝具部材を使用し空気が流れないようにして、本体部１０２の空気が流通する部分の幅を狭めた点と、加熱シート８を用いずにヒーター線１１１をスペーサ１０の内部に配線した点である。その他の点は、第１実施形態と同様であるので、第１実施形態のものと同一の機能を有するものについては、同一の符号又は対応する符号を付することにより、その詳細な説明を省略する。【００２５】
本実施形態の空調マット１００の本体部１０２の長手方向に平行な両端近くの部位にはポリエステル繊維や本綿などをフェルト化した固綿等を用いて、空気が流通しないように形成した非空調部１６０が設けられている。そのため空調化される本体部１０２はその分狭くなっている。一般に就寝者はマットの中央部に寝るため長手方向に平行な両端近くの部位にはあまり空調機能を必要としないからである。これにより本空調マット１００は、スペーサが小型化され、またヒーター線が短くて済むので、コストを削減することができる。さらに空気流通路１５に流す送風量が少なくてすむためファン３のノイズを低減化し且つファンを回転させるための消費電力と、ヒーター線の消費電力を抑えることができる。【００２６】
スペーサ１０の凸部２０は前記のような４本の柱からなり、その内部は空洞になっているため、この中にヒーター線を容易に貫通させることができる。ヒーター線の線径は１ｍｍ程度と細いため空気流通路に空気を流通すときの空気抵抗の増加はわずかなものであり、空調能力に大きな影響を与えることはない。本実施形態の空調マットは加熱シートを用いる方法に比べ安価に製造することができる。本実施形態のその他の作用・効果については第１実施形態と同様であるので、その詳細な説明を省略する。【００２７】
尚、本発明は上記の実施形態に限定されるものではなく、その要旨の範囲内において種々の変形が可能である。【００２８】
例えば、上記の実施形態では、図１及び図２に示すスペーサを使用する場合について説明したが、本発明のスペーサは図１及び図２に示すものに限られるものではなく、これと同等の機能を有するものであればどのようなものでも良い。【００２９】
また、上記の実施形態では、空気流通筒部３の両端部を除いた部分の断面は、略長方形状となるように形成しているが、空気流通筒部は中空の筒状であれば、この部分の断面は円形状でも楕円形状としてもよい。また、上記の実施形態では、空気流通筒部の両端部にファンを設ける場合について説明したが、ファンは両端部の何れか一方の端部にのみ設けるようにしてもよい。また、上記の実施形態では、空気流通筒部３の両端部を除いた部分は本体部とほぼ同じ高さ（厚さ）に形成しているが、空気流通筒部３の両端部を除いた部分は本体部より高くてもよい。また、より小型化されたファンを使用して、両端部を本体部の高さと同じ高さにしてもよい。さらに、上記の実施形態では、空気流通筒部３を設けている場合について説明しているが、この空気流通筒部３は省略することも可能である。この場合、ファンは本体部（カバー部）の足側端部に設けることとなる。【００３０】
また、上記の実施形態では、空調マットが電気敷き寝具である場合について説明したが、ペット等の動物に使用するものであってもよい。
【産業上の利用可能性】
【００３１】
以上説明したように、本発明によれば、周囲温度が高いときはスペーサで確保される空間に外気を流通させることにより空調マットと接する身体から出た汗を蒸発させ、その際の気化熱により体が冷却されるため、蒸れることがなく快適に寝ることができる。また、周囲温度が低いときは、ヒーター線と身体の間に空間を設けることにより、間接的に、また空調マットに接している身体の部位全体をほぼ均一に暖めることができる。したがって、本発明は、一年を通じて使用することができる就寝するための敷き寝具の空調マットとして利用することができる。
【図１】
2010095165.tif 000003
【図２】
2010095165.tif 000004
【図３】
2010095165.tif 000005
【図４】
2010095165.tif 000006
【図５】
2010095165.tif 000007
【図６】
2010095165.tif 000008
【図７】
2010095165.tif 000009
【国際調査報告】
2010095165.tif 000010
2010095165.tif 000011
2010095165.tif 000012
2010095165.tif 000013